(57)【特許請求の範囲】
【請求項１】
収納体本体に装着可能なドア枠体であって、
前記収納体本体の開口部に固定され前記収納体本体が有する本体側フランジ部と接合する枠体側フランジ部を備えるドア枠と、
前記ドア枠に回転自在に支持され、このドア枠の開口部を開閉するドアと、
前記収納体本体に前記ドア枠を着脱自在に固定し前記本体側フランジ部と前記枠体側フランジ部とを締め付ける締付けねじを有するクランプと前記締付けねじが緩んだときに前記クランプが脱落するのを防止する脱落防止部材とを備える固定部材とを含み、
前記ドア枠は、前記ドアに固定する内部機器を収納可能な空間を有すること、
を特徴とするドア枠体。
【発明の詳細な説明】
【０００１】
【発明の属する技術分野】
この発明は、収納体本体に装着可能なドア枠体及びこのドア枠体を備える収納体に関する。
【０００２】
【従来の技術】
従来より、電気機器、電子機器、変電設備などを収納する収納体が知られている。例えば、塵埃や腐食性ガスなどが存在する環境の悪い場所にこのような収納体を設置するときには、収納体内部をできるだけ気密にして外気と隔離する必要がある。この場合に、収納体を密閉構造にすると内部に熱がこもるために、外部に熱を排出するための熱交換器を既設の収納体のドアに設置する必要がある。
【０００３】
図６は、従来の収納体（従来例１）を概略的に示す横断面図である。
図６に示す収納体１０１は、内部機器を収納する筐体１０２と、この収納体本体１０２を開閉するドア１０５と、このドア１０５を回転自在に支持するヒンジ部１０５ａと、このドア１０５の内側に取り付けられた熱交換機１０７とを備えている。
【０００４】
図７は、従来の収納体（従来例２）を概略的に示す横断面図である。
図７に示す収納体２０１は、図６に示す収納体１０１とは異なり、ドア１０５の外側に熱交換機１０７を取り付けたものである。このような収納体１０１，２０１では、既設のドア１０５に熱交換器１０７を取り付けるために、このドア１０５を加工する必要がある。
【０００５】
図８は、従来の収納体のドア表面を示す正面図である。図９は、従来の収納体のドア裏面を示す背面図である。
図８に示すように、従来の収納体１０１，２０１では、既設の収納体本体１０２からドア１０５を取り外した後に、穴開けなど板金加工によってこのドア１０５に取付孔１０５ａを形成し、熱交換器１０７をドア１０５に取り付ける必要があった。また、図９に示すように、従来の収納体１０１，２０１では、気密性を向上させるために、既設のドア１０５のヒンジ部１０５ａを除く内周部にパッキン１０５ｂを貼り付けていた。
【０００６】
【発明が解決しようとする課題】
しかし、従来の収納体１０１，２０１では、現場でドア１０５を穴開け加工するときに切り屑などが発生して、内部機器に影響を与えるおそれがあるとともに、ドア１０５の重量が増加して、ヒンジ部１０５ａの強度が不足するおそれがあった。また、従来の収納体１０１，２０１では、既設のドア１０５が本来気密性を重視した構造ではなく、熱交換器１０７の重量によってドア１０５が歪むおそれがあるとともに、ヒンジ部１０５ａにパッキン１０５ｂを貼り付けることができず、ドア１０５の気密性を確保することが困難であった。
【０００７】
また、従来の収納体１０１では、図６に示すように、ドア１０５の内側に取り付けた熱交換器１０７と収納体本体１０２内の内部機器とが干渉するおそれがあった。さらに、従来の収納体２０１では、図７に示すように、ドア１０５の外側に取り付けた熱交換器１０７が障害物となって、隣接する収納体２０１のドア１０５ａと開閉時に干渉するおそれがあるとともに、熱交換器１０７をドア１０５の外側に取り付けているために美観を損ねていた。
【０００８】
この発明の課題は、収納体本体側の内部機器との干渉を防止することができるドア枠体及び収納体を提供することである。
【０００９】
【課題を解決するための手段】
この発明は、以下に記載するような解決手段により、前記課題を解決する。
なお、この発明の実施形態に対応する符号を付して説明するが、これに限定するものではない。
請求項１の発明は、収納体本体（２）に装着可能なドア枠体（３）であって、前記収納体本体の開口部（２ａ）に固定され前記収納体本体が有する本体側フランジ部（２ｂ）と接合する枠体側フランジ部（４ｄ）を備えるドア枠（４）と、前記ドア枠に回転自在に支持され、このドア枠の開口部（４ｃ）を開閉するドア（５）と、前記収納体本体に前記ドア枠を着脱自在に固定し前記本体側フランジ部と前記枠体側フランジ部とを締め付ける締付けねじ（８２）を有するクランプ（８１）と前記締付けねじが緩んだときに前記クランプが脱落するのを防止する脱落防止部材（８３）とを備える固定部材（８）とを含み、
前記ドア枠は、前記ドアに固定する内部機器（７）を収納可能な空間（４ａ）を有することを特徴とするドア枠体である。
【００１４】
【発明の実施の形態】
以下、図面を参照して、この発明の実施形態についてさらに詳しく説明する。
図１は、この発明の実施形態に係るドア枠体を分解した状態を示す斜視図である。図２は、この発明の実施形態に係るドア枠体の横断面図である。図３は、図２の III部分を拡大して示す断面図である。図４は、図２のIV部分を拡大して示す断面図である。図５は、この発明の実施形態に係るドア枠体の固定部材を示す斜視図である。
【００１５】
収納体１は、電気機器、電子機器、回路機器、監視制御装置又は変電設備などを収納する受電箱又は配電箱（キュービクル）である。収納体１は、図１に示すように、収納体本体２及びドア枠体３とから構成されている。収納体１は、例えば、鋼鈑などの接地金属壁によって、前後、左右及び上下が覆われている。
【００１６】
収納体本体２は、図示しない本体側機器（内部機器）を収納する筐体である。収納体本体２は、ドア及びヒンジ部を既設の収納体から取り除いたものであり、前面に開口部２ａが形成されており、この開口部２ａの内周部にはフランジ部２ｂが形成されている。
【００１７】
ドア枠体３は、収納体本体１に装着可能な部材である。ドア枠体３は、図１及び図２に示すように、ドア枠４、ドア５、密封部材６、熱交換器７及び固定部材８から構成されている。
【００１８】
ドア枠４は、ドア５に固定する熱交換器（内部機器）７を収納可能なフレームである。ドア枠４は、収納体本体２の開口部２ａに固定される。ドア枠４の内周部は、熱交換器７をドア５に固定したときに、このドア５の裏面から突出した熱交換器７を収納可能な内部空間４ａを形成する。ドア枠４は、図２に示すように、ドア５の奥行きｔ1 とドア５の裏面から突出した熱交換器７の奥行きｔ2 とを合わせた長さ以上になるように奥行きｔ3 が設計されている。ドア枠４には、収納体本体２と対向する側に開口部４ｂが形成されており、この開口部４ｂとは反対側に開口部４ｃが形成されている。開口部４ｂの内周部には、図３及び図４に示すように、収納体本体２側のフランジ部２ｂと接合するフランジ部４ｄが形成されている。開口部４ｃの内周部には、前方に向けて突出した接合部４ｆが形成されており、この接触部４ｆの外側には、図１及び図４に示すように、ドア枠４の一方の縦桟に沿って間隔を開けて２つのヒンジ部４ｇが取り付けられている。
【００１９】
ドア５は、ドア枠４に回転自在に支持され、このドア枠４の開口部４ｃを開閉する部材である。ドア５は、ヒンジ部４ｇに回転自在に連結されている。ドア５には、図１に示すように、２つの取付孔５ａが形成されており、このドア５を開閉及び旋錠するためのラッチ錠５ｂが取り付けられている。ドア５の裏面には、図２及び図３に示すように、密封部材６が取り付けられている。
【００２０】
密封部材６は、ドア枠４の開口部４ｃをドア５によって閉鎖したときに、このドア枠４とドア５との間の間隙部を密封するパッキンである。密封部材６は、ドア枠４の接合部４ｆと密着するように、この接合部４ｆと対応する位置に貼り付けられている。
【００２１】
熱交換器７は、収納体本体２に収納される本体側機器（内部機器）が発生する熱を外部に排出する排気装置である。熱交換器７は、２つの貫通孔５ａにそれぞれの排気孔が嵌め込まれており、図示しない止めねじなどの固定部材によってドア５に固定されている。
【００２２】
固定部材８は、収納体本体２にドア枠４を着脱自在に固定する部材である。固定部材８は、図５に示すように、クランプ８１、締付けねじ８２及び脱落防止部材８３から構成されている。固定部材８は、図１に示すように、ドア枠４の一対の上下横桟に２個ずつ計１２個取り付けられている。固定部材８は、フランジ部２ｂとフランジ部４ｄとの間にシリコンシーラントなどのコーキング剤（密封部材）が塗布された後に、収納体本体２とドア枠４とを固定してこれらの間隙部を密封する。
【００２３】
クランプ８１は、フランジ部２ｂとフランジ部４ｄとを位置決めし接合するための部材である。クランプ８１は、図２及び図３に示すように、接触部８１ａ、支持部８１ｂ、連結部８１ｃ、雌ねじ部８１ｄ及び締付けねじ８２から構成されている。クランプ８１は、接触部８１ａ、支持部８１ｂ及び連結部８１ｃによる略コ字状に形成されている。
【００２４】
接触部８１ａは、フランジ部２ｂのフランジ部４ｄと接触する側とは反対側の面と接触する部分である。支持部８１ｂは締付けねじ８２を支持する部分であり、連結部８１ｃは接触部８１ａと支持部８１ｂとが間隔を開けて対向するように、これらを連結する部分である。連結部８１ｃは、フランジ部２ｂとフランジ部４ｄとを接合したときに、フランジ部４ｄと支持部８１ｂとの間に間隙部を形成するように接触部８１ａと支持部８１ｂとを連結する。雌ねじ部８１ｄは、支持部８１ｂに形成された貫通孔である。
【００２５】
締付けねじ８２は、フランジ部２ｂとフランジ部４ｄとを締め付けるためのねじである。締付けねじ８２は、雄ねじ部８２ａを雌ねじ部８１ｄにねじ込み、ねじ先端部８２ｂと接触部８１ａとの間で、フランジ部２ｂ及びフランジ部４ｄを挟み込み固定する。
【００２６】
脱落防止部材８３は、締付けねじ８２が緩んだときに、クランプ８１が脱落するのを防止する部材である。脱落防止部材８３は、支持部８１ｂとの間に間隙部を形成するように、フランジ部４ｄのフランジ部２ｂと接触する側とは反対側の面に固定されている。脱落防止部材８３は、厚みを有する座金状の板であり、締付けねじ８２が緩んでねじ先端部８２ｂが後退したときに、ねじ先端部８２ｂが厚み部分に引っ掛かりクランプ８１の脱落を防止する。
【００２７】
次に、この発明の実施形態に係るドア枠体の取付方法を説明する。
図１に示す収納体本体２から既設の扉及びヒンジ部を撤去した後に、収納体本体２のフランジ部２ｂにドア枠４のブラケット４ｅを掛け止めすると、収納体本体２の開口部２ａとドア枠４の開口部４ｂとが位置決めされる。そして、脱落防止部材８３にクランプ８１を位置付けて、締付けねじ８２のねじ先端部８２ｂが脱落防止部材８３を通過してフランジ部４ｄと接触するまで、締付けねじ８２がねじ込まれる。その結果、接触部８１ａとねじ先端部８２ｂとの間にフランジ部２ｂ及びフランジ部４ｄが挟み込まれて、収納体本体２にドア枠体３が装着され固定される。
【００２８】
この発明の実施形態に係るドア枠体には、以下に記載するような効果がある。
（１）  この実施形態では、ドア５に固定される熱交換器７を収納可能な内部空間４ａをドア枠４が有する。このために、収納体本体２側の内部機器と熱交換器７とが干渉するのを防止することができる。また、ドア５の表面から熱交換器７が突出しないので、収納体１を複数並べて設置しても、収納体１に隣接する収納体のドアと開放したドア５とが干渉するのを防止することができる。
【００２９】
（２）  この実施形態では、熱交換器７が固定されたドア５をドア枠４によって回転自在に支持し、このドア枠４を収納体本体２に取り付けている。その結果、フレーム部材を介した取付構造を採用しているために、熱交換器７による重量増加によって生ずるヒンジ部の強度不足を解消することができる。
【００３０】
（３）  この実施形態では、取付孔５ａをドア５に形成してドア枠４、ドア５、密着部材６及び熱交換器７などの必要な機器や部品を工場内で組み立てた後に、ドア枠体３を現場に搬入して、既設の収納体本体２に固定部材８によって簡単に取り付けることができる。その結果、現場での穴あけ加工や溶接などの板金加工が必要なくなって、取付作業の省力化を図ることができるとともに、現場での穴あけ作業によって切り屑などが発生する弊害を回避することができる。
【００３１】
（４）  この実施形態では、クランプ８１の脱落を防止する脱落防止部材８３がフランジ部４ｄに設けられている。このために、現場におけるドア枠体３の取付作業を向上させることができるとともに、フランジ部２ｂとフランジ部４ｄとを締め付ける締付けねじ８２が取付作業後に緩んでも、クランプ８１が直ちに脱落するのを防止することができる。
【００３２】
（５）  この実施形態では、フランジ部２ｂとフランジ部４ｄとを固定部材８が接合するとともに、ドア５とドア枠体４との間の間隙部を密封部材６が密封する。このために、塵埃や腐食性ガスなどが存在する環境下に収納体１を設置した場合であっても、この収納体１内を密閉することができる。
【００３３】
この発明は、以上説明した実施形態に限定するものではなく、以下に記載するように種々の変形又は変更が可能であり、これらもこの発明の範囲内である。
例えば、この実施形態では、キュービクルを例に挙げて説明したが、オペレータコンソールやこれに類似した電機盤、分電盤、計装パネルなどの収納設備についても、この発明を適用することができる。また、この実施形態では、熱交換器を設置する場合を例に挙げて説明したが、これ以外に換気装置などの補助機器を増設する場合や、機器を設置せずに収納体内の密閉性を向上させる場合についても、この発明を適用することができる。さらに、この実施形態では、固定部材８を１２個設置する場合を例に挙げて説明したが、ドア枠体３の大きさや重量に応じて任意の設置個数にすることができる。
【００３４】
【発明の効果】
以上説明したように、この発明によると、ドアに固定する内部機器を収納可能な空間をドア枠が有するので、収納体本体側の内部機器との干渉を防止することができる。
【図面の簡単な説明】
【図１】この発明の実施形態に係るドア枠体を分解した状態を示す斜視図である。
【図２】この発明の実施形態に係るドア枠体の横断面図である。
【図３】図２の III部分を拡大して示す断面図である。
【図４】図２のIV部分を拡大して示す断面図である。
【図５】この発明の実施形態に係るドア枠体の固定部材を示す斜視図である。
【図６】従来の収納体（従来例１）を概略的に示す横断面図である。
【図７】従来の収納体（従来例２）を概略的に示す横断面図である。
【図８】従来の収納体のドア表面を示す正面図である。
【図９】従来の収納体のドア裏面を示す背面図である。
【符号の説明】
１  収納体
２  収納体本体
２ａ  開口部
２ｂ  フランジ部
３  ドア枠体
４  ドア枠
４ａ  内部空間
４ｃ  開口部
４ｄ  フランジ部
５  ドア
６  密着部材
７  熱交換器（内部機器）
８  固定部材
８１  クランプ
８２  締付けねじ
８３  脱落防止部材
【図１】
0003818424.tif 000002
【図２】
0003818424.tif 000003
【図３】
0003818424.tif 000004
【図４】
0003818424.tif 000005
【図５】
0003818424.tif 000006
【図６】
0003818424.tif 000007
【図７】
0003818424.tif 000008
【図８】
0003818424.tif 000009
【図９】
0003818424.tif 000010